(57)【特許請求の範囲】
【請求項１】
３つの垂直に配置された空間軸ｘ，ｙおよびｚの周りの回転運動を決定するためのマイクロジャイロスコープであって、
基板（１）と、
前記基板（１）に垂直なｚ軸の周りに配置され、バネと締め付けボルトにより前記基板（１）に固定された、ｚ軸に対して接線方向に振動する複数のマス（２，３）と、
前記基板（１）が任意の空間軸の周りを回転するとき、前記マス（２，３）にコリオリ力により偏向が引き起こされるように、前記マス（２，３）をｚ軸に対する接線方向に直接振動させるための駆動要素（１１）と、
生じたコリオリ力による前記マス（２，３）の偏向を記録するためのセンサー要素と、を有し、
前記マス（２，３）は、前記基板（１）に平行なｘ軸またはｙ軸に対して角度可変に配置された角度可変プレート（２）と、前記基板（１）の平面に平行なｘ−ｙ平面における前記ｚ軸に対して少なくとも部分的に放射方向に振動することができるｚマス（３）からなり、
前記ｚマス（３）は、ｚ軸回りではなく、ｚ軸に対して放射方向に振動することができる振動センサー要素（１２）に接続されていることを特徴とするマイクロジャイロスコープ。
【請求項２】
前記ジャイロスコープが前記ｚ軸に対する接線方向に振動する８つのマス（２，３）を有し、
これらのマスのうち４つが、前記ｚ軸に対して放射方向に付加的に動かされるｚマス（３）として扱われることを特徴とする請求項１に記載のマイクロジャイロスコープ。
【請求項３】
ｚ軸に対する接線方向にのみ振動する前記マスは、前記基板（１）の回転の記録のための前記ｘまたはｙ軸に対する角度可変プレート（２）であることを特徴とする請求項１または２に記載のマイクロジャイロスコープ。
【請求項４】
前記ｚ軸に対する放射方向および接線方向の両方に動かされ得る前記ｚマス（３）は、前記ｚ軸に対する接線運動を可能にするため、フレーム（４）に結合されていることを特徴とする請求項１〜３のいずれかに記載のマイクロジャイロスコープ。
【請求項５】
コリオリ力により引き起こされる前記放射方向の振動の記録のための他のセンサー要素（１２）が、前記ｚ軸に対して放射方向および接線方向に動かされ得る前記ｚマス（３）に接続されることを特徴とする請求項１〜４のいずれかに記載のマイクロジャイロスコープ。
【請求項６】
前記フレーム（４）は前記基板（１）に、バネ、特に二つのバネと締め付けボルトにより固定されており、前記ｚ軸に対して接線方向に動かされ得ることを特徴とする請求項４または５に記載のマイクロジャイロスコープ。
【請求項７】
前記フレーム（４）は、前記ｚマス（３）の間またはｚ軸に対して接線方向にのみ振動する角度可変プレート（２）の間に配置されることを特徴とする請求項４〜６のいずれかに記載のマイクロジャイロスコープ。
【請求項８】
前記ｚ軸に対して放射方向および接線方向の両方に動かされ得る前記ｚマス（３）は、４つのバネにより前記フレーム（４）に接続されていることを特徴とする請求項４〜７のいずれかに記載のマイクロジャイロスコープ。
【請求項９】
前記フレーム（４）に配置された前記ｚマス（３）は、ｚ軸に対する放射方向にのみ動かされ得ることを特徴とする請求項４〜８のいずれかに記載のマイクロジャイロスコープ。
【請求項１０】
前記フレーム（４）は、前記基板（１）に固定されており、前記ｚ軸に対して接線方向にのみ動かされ得ることを特徴とする請求項４〜９のいずれかに記載のマイクロジャイロスコープ。
【請求項１１】
前記角度可変プレート（２）と前記フレーム（４）は、バネにより互いに接続されていることを特徴とする請求項４〜１０のいずれかに記載のマイクロジャイロスコープ。
【請求項１２】
前記フレーム（４）は、ｚ軸に対する接線方向に固定されており、放射方向には固定されていないことを特徴とする請求項４〜１１のいずれかに記載のマイクロジャイロスコープ。
【請求項１３】
角度可変プレート（２）のいくつかは、ｘ軸に対してのみ固定され、他の角度可変プレート（２）は、基板（１）のみに配置され、ｙ軸に対してのみ傾けられることを特徴とする請求項１〜１２のいずれかに記載のマイクロジャイロスコープ。
【請求項１４】
前記ｚ軸に対する接線方向にのみ振動する前記マス（２）および／または前記フレーム（４）は前記ｚ軸に対する前記接線方向の駆動振動を保持するための駆動要素（１１）を含むことを特徴とする請求項４〜１３のいずれかに記載のマイクロジャイロスコープ。
【請求項１５】
前記ｚ軸に対する駆動振動を保持するために必要な前記駆動要素（１１）は、適切なスイッチ駆動電圧を備えるくし状キャパシター電極である請求項１〜１４のいずれかに記載のマイクロジャイロスコープ。
【請求項１６】
前記角度可変プレート（２）の偏向の記録のためのセンサー要素は、前記角度可変プレート（２）の下に配置されていることを特徴とする請求項１〜１５のいずれかに記載のマイクロジャイロスコープ。
【請求項１７】
前記コリオリ力により引き起こされる前記ｚマス（３）の放射方向の振動を記録するためのセンサー要素は、前記ｚマス（３）に接続されることを特徴とする請求項１〜１６のいずれかに記載のマイクロジャイロスコープ。
【請求項１８】
前記ｚマス（３）に接続され、前記コリオリ力により生じた前記ｚマス（３）の放射方向の振動を記録するための前記センサー要素は、移動可能なキャパシター測定電極であり、一方の電極が前記基板（１）に固定されて接続されていることを特徴とする請求項１〜１７のいずれかに記載のマイクロジャイロスコープ。
【請求項１９】
前記測定電極は放射方向に移動可能であることを特徴とする請求項１８に記載のマイクロジャイロスコープ。
【請求項２０】
前記センサー要素（１２）の前記測定電極は、前記ｚマス（３）よりも前記センサーの中心により近いことを特徴とする請求項１８または１９に記載のマイクロジャイロスコープ。
【請求項２１】
前記マイクロジャイロスコープは、大きな円形の外形であることを特徴とする請求項１〜２０のいずれかに記載のマイクロジャイロスコープ。
【請求項２２】
前記ｚマス（３）と前記センサー要素（１２）は接線方向には堅くなく、放射方向には堅いバネでつなげられていることを特徴とする請求項１〜２１のいずれかに記載のマイクロジャイロスコープ。
【請求項２３】
前記センサー要素（１２）は、４つのバネで前記基板（１）に固定されていることを特徴とする請求項１〜２２のいずれかに記載のマイクロジャイロスコープ。
【請求項２４】
前記角度可変プレート（２）は、バネにより前記基板（１）に配置されており、ｘ−ｙ平面における接線運動およびｘ−ｙ平面外の角度可変運動を可能にし、前記角度可変プレート（２）を縦方向にねじり曲げることを特徴とする請求項１〜１３のいずれかに記載のマイクロジャイロスコープ。
【発明の詳細な説明】
【技術分野】
【０００１】
この発明は、基板に直交するｚ軸の接線方向に振動する複数のマスが配置されている基板を有する三つの空間軸ｘ，ｙ，ｚに関する回転運動を決定するためのマイクロジャイロスコープに関し、前記振動マスは、バネと締め付けボルトにより固定されており、前記ｚ軸に関するマスの接線方向の振動を維持するための駆動要素を有し、その結果、前記マスはコリオリ力と、基板が任意の空間軸の周りを回転するときに、それらにより生じる偏向に従い、生じたコリオリ力による前記マスの前記偏向を決定するためのセンサー要素を有している。
【０００２】
ｘ−ｙ−ｚ座標系において、マイクロジャイロスコープは、一般的に、一つの軸に関する回転運動を決定するために用いられている。三つの軸の一つずつの前記系の回転を決定するために、そのような三つのマイクロジャイロスコープが必要とされている。これは、とても高価なだけでなく、それらを制御することと、データを処理することが難しい。
【０００３】
３軸のマイクロエレクトロメカニカルセンサー（ＭＥＭＳ）ジャイロスコープは、ＴＷ２８６２０１ＢＢにより知られており、マスは中心の締め付けボルトに配置され、周期的な回転運動をし出す。これらのマスは、基板上に配置され、ｙまたはｘ軸に関して生じたコリオリ力によりｘまたはｙ軸に傾けられ、基板に対して運動するこれらのマスの対応する吊り下げにより可能にする。前記ｚ軸に関する回転があるとき、マスの一部は、前記旋回マスの上のそれらの相当する吊り下げにより、交互に変換的に偏向される。傾斜運動と変換運動は、センサーと基板の回転の割合により決定され、ｘ、ｙ、ｚ軸のそれぞれの回転の測定として使用されることがある。しかしながら、対応する偏向が決定されるのだけは、大きな困難性がある。
【０００４】
したがって、三つ全ての軸についての回転を決定する事ができる三次元ジャイロスコープが作られ、Ｄ．Ｗｏｏｄと協力者は、１９９６に出版された記事（“A Monolithic Silicon Gyroscope Capable of Sensing about Three Axes Simultaniously”）において、中心の締め付けボルトに対して円状に配置された振動マスを有するジャイロスコープを示唆した。これらのマスは、コリオリ力により生じる傾斜および回転運動の両方の達成を可能にする。しかしながら、不便なこととしては、そのようなセンサーと動かされるマスの作動の製造が難しい。個々のセンサー部品は、お互いに影響し、ｘ、ｙ、ｚ方向におけるジャイロスコープの運動の測定は不十分な精度である。
【発明の概要】
【発明が解決しようとする課題】
【０００５】
この発明の課題は、３つの垂直な空間軸ｘ、ｙ、ｚをに関する回転運動を決定するため、および個々の回転方向における偏向を決定するための高精度のマイクロジャイロスコープを提供することであり、決定される方向における運動による誤りは提供せず、特にマスの作動の間はない。
【課題を解決するための手段】
【０００６】
前記課題は請求項１の特徴を有するマイクロジャイロスコープにより解決される。
【０００７】
本発明によるマイクロジャイロスコープは、３つの垂直な空間軸ｘ、ｙ、ｚの回転を決定するための役割を果たす。接線方向に振動する複数のマスは、基板上に、前記ｚ軸に関して垂直に配置され、前記振動マスは、バネまたは締め付けボルトによる方法で、固定される。前記駆動要素は、前記マスをｚ軸上で動かし、ｚ軸上における接線方向のマスの振動を維持する。前記基板が任意の空間軸に関して回転する時、コリオリ力は前記駆動マスの偏向により生じる。センサー要素は、基板の回転運動により生じた前記コリオリ力による偏向を記録するために前記マスのエリアに配置される。
【０００８】
本発明によれば、前記ｚ軸の前記マスの周期的な振動は、前記基板に対して平行に走るｘ軸に関して傾けられて配置されている。ｚ軸に沿った他の振動マスもまた、基板に対して平行に走るｙ軸に関して傾けられて配置されている。加えて、少なくとも他の一の振動マスは、前記基板に平行なｘ−ｙ平面において、ｚ軸に関して放射状に偏向する可能性がある。下記では、そのようなマスを“ｚマス”と名づける。ｚ軸に沿ってではなく、ｚ軸に関して放射状に偏向させることもできる振動センサー要素は、付加的に放射状に傾けられるｚマスに配置される。
【０００９】
特に、前記センサー要素からの前記ｚ軸の分離により、放射状センサー運動からの接線方向駆動運動が好ましくなされる。前記センサー要素自体は、接線方向に作動されない。それゆえに、センサー要素の放射状の運動のみがｚ軸に関する基板の回転を決定するために記録される。ｚ軸に沿った基板の回転がこれにより生じるコリオリ力の結果により生じるとき、前記ｚマスは、その他のマスとともにｚ軸に沿って運動させられ、放射方向に傾けられる。前記ｚマスは、接線および放射運動を遂行するが、しかし、放射運動のみ、センサー要素に変換される。放射方向におけるセンサー要素のこの一つの運動方向は、他の動きと重ね合わせることなしに、とても簡単に記録される。この結果、記録の精確性は、従来の解決方法と比較して、とても向上してきた。
【００１０】
本発明の有利な構造によれば、前記ジャイロスコープは本質的にｚ軸に関して接線方向に振動する８つのマスを含み、これらのマスの４つは付加的にｚ軸に関して放射方向に動き、それゆえに、ｚマスと呼ばれる。４つのｚマスからの８つの振動マスの配置は、発生する力に対してバランスされたジャイロスコープを作る。前記コリオリ力は、相対的に簡単に記録され、所定の軸に関する回転のそれぞれの原因は、確実に決定され得る。８つのマスが周囲に沿って均一に分散されたとき、特にバランスされた系が成し遂げられ、前記振動マスは、本質的にｘおよびｙ方向に沿って、前記ｚ軸の接線方向にのみ配向され、前記残されたｚマスはｘ軸とｙ軸の間に配置される。前記駆動運動に参加している全てのマスのために、前記ｚマスもまた、前記ｚ軸に関して接線方向に動かされ、前記ｚ軸に関して、放射方向に偏向することもある。これらのマスは、好ましくは、セミオープンフレームにより支えられており、前記接線方向の駆動運動をしだす。前記コリオリ力は、単に放射方向の可動性に影響を与えるにすぎず、ｚ軸の回転スピードを決定するセンサー要素の偏向を引き起こす。
【００１１】
本発明の好ましい構造において、ｚ軸に関して大きく接線方向に振動するマスは、ｘ軸に関する基板の回転を記録するための角度可変プレートである。ｘまたはｙ軸での基板の回転によりコリオリ力が生じてすぐ、ｚ軸の接線方向にのみ振動するこれらのマスはｙまたはｘ軸に関して傾く。この傾きの運動は、マスに割り当てられた容量センサーにより電気信号に変換され得る。
【００１２】
有利には、ｚ軸の放射方向と接線方向の両方に移動可能なｚマスは、フレームに結合され、前記ｚ軸の接線方向に入り込む。一方、前記フレームは、前記ｚマスの接線方向の駆動を確保し、一方、放射方向の動きを起こすための安定した前記マスのサスペンションが行われる。特別なフレームデザインのおかげで、前記ｚマスは十分に大きく作られ、コリオリ力に対する顕著な応答を示すことができ、放射方向に傾けられる。このデザインの改良型は、ｚマスの主な特徴は本質的に、全体のフレームとｚマスの組み合わせが、第１運動として接線方向に駆動される時のみ引き起こされる放射方向の前記偏向にあることを明らかに示した。しかしながら、放射方向における第２運動は、本質的に、ここで重要である。前記フレーム−ライク構造は、これらの特徴をとても有利に実行することができる。
【００１３】
前記ｚ軸に沿って放射方向と接線方向の両方で動く前記ｚマスにとって、前記コリオリ力により引き起こされるその放射偏向を記録するための少なくとも他のセンサー要素と結合していることは本質的に好ましい。この結果、前記偏向は、前記ｚマス自身（放射と接線方向の両方で動く）において測定される必要がなく、前記ｚマスを半径方向に傾ける生じたコリオリ力は、放射方向にのみ動く前記センサー要素によって記録され得る。その他の運動の重ね合わさりがないため、これは、記録される測定結果の明らかな向上を導く。センサー要素の運動は、もっぱら放射方向のコリオリ力を示す。この方法により記録された前記信号は、とても簡単に評価される。
【００１４】
本発明の有利な実施形態において、前記ｚ軸の接線方向に動く前記フレームは、バネ、特に二つ、によって基板に固定されている。前記フレームは、接線方向以外の全ての方向において、本質的に固定されており、接線方向における振動のみ可能である。前記フレームに作用する前記コリオリ力は、それを、放射方向に傾けることができない。したがって、前記フレームまたは前記バネは、このようにして、放射方向に強固に備えられる。好ましくは、前記フレームは、ｘまたはｙ平面のどちらも動かず、それゆえに、ｘまたはｙ軸の回転スピードの結果生じるコリオリ力に対して反応しない。しかしながら、この方向における剛性は、いつも必要ではない；この動きがセンサー要素に変換されず、その測定に影響が出ることを保証するとき、前記フレームとｘ−ｙ平面に動くｚマスを認容する。
【００１５】
動かされる前記マスの間で起こる反作用の力と反作用トルクに関してよくバランスされたマイクロジャイロスコープを得るために、ｚ軸の接線方向に振動するマスの間の前記マスまたは角度可変プレートの間に前記フレームを配置することが好ましい。
【００１６】
前記ｚ軸に関して放射方向と接線方向の両方に動くことができる前記ｚマスは、少なくとも一つのバネ、好ましくは４つのバネでそれぞれフレームとつながっている。これは、前記ｚマスが前記フレームに対して相対的に放射方向のみに動くことができることを有利に確保するためのフレームの間のｚ軸の固定配置を作る。ここで、前記ｚマスはｚ軸に関する回転速度にのみ反応し、ｚマスに割り当てられたセンサー要素の明らかな反応と電気信号の結果による対応する明白な測定結果を引き出す。
【００１７】
本発明の有利な構成において、前記フレームは、前記基板に固定され、もっぱらｚ軸の接線方向に動くことができ、前記フレームにおける前記第１運動は、明らかに、前記フレームにおける前記ｚ軸の接線方向における回転として開始する。前記フレームにおいて、移動可能なように配置されたｚマスの放射方向における振動は、第２運動を引き起こす。
【００１８】
前記マイクロジャイロスコープの前記動的挙動は、前記角度可変プレートと前記フレームがバネによりお互い接続されている時、大いに高められる。これらのバネは、同調バネとして働き、同じ方法の角度可変プレートと前記フレームにより実行される（前記ｚ軸の接線方向に引き起こされる）第１運動を引き起こす。この結果、同じ頻度と段階の振動に関連する全てのマスの場合において、前記角度可変プレートと前記フレームの振動の共通モードが起こる。
【００１９】
好ましくは、（前記角度可変プレートと前記フレームをお互い接続させる）前記バネは、接線方向に固定して実行され、その他の方向は、固定されない。それゆえに、角度可変プレートとフレームにおいて起こる前記第１運動が、同じ頻度の振動の共通モードを達成することが可能であり、ｘまたはｙ方向の回転スピードの示唆の間、前記ｘ−ｙ平面の角度可変プレートは、前記同調バネに邪魔されない。このようにして、前記角度可変プレートは、前記フレームの外に大きく独立して動かされ、好ましくは、これに反対に作用する大きなバネの反発なしに、ｘ−ｙ平面に残される。
【００２０】
前記ｘまたはｙ軸の回転スピードの明らかな示唆のため、前記ｚ軸の接線方向に振動する前記マスまたは角度可変プレートのいくつかとその他のマスまたは角度可変プレートが、ｙ軸のみに関して基板に角度可変に固定されることを意図している。ｘ軸またはｙ軸から遠くはなれ、ｘ−ｙ平面の外へ動いた前記マスまたは角度可変プレートは、それゆえに、前記ｙ軸の回転スピードを示唆している。一方、前記ｙ軸または前記ｘ軸から遠くはなれた前記マスまたは角度可変プレートは、それらが、前記ｙ軸で傾いている間または前記ｘ−ｙ軸から外へ出た時、前記ｘ軸に関する前記センサーの回転速度を示唆する。
【００２１】
前記第１振動を開始する駆動要素は、好ましくは、前記ｚ軸および／または前記フレームの接線方向のみに振動する前記マスに配置される。これらの駆動要素は、前記ｚ軸の第１振動である構造部分における駆動振動を開始する。
【００２２】
本発明の有利な構造において、前記ｚ軸の駆動振動の維持を必要とする前記駆動要素は、適切なスイッチ駆動電圧を備えたくし状のキャパシターの電極である。前記駆動要素の部材は、これを成し遂げるために、基板に固定されており、他の部材は、駆動される構造要素に交互に固定されている。ＡＣ電圧が適用されるとき、前記電極は、相互に引き付けあい、これは、前記構造部材の第１振動の振動を生じさせる。
【００２３】
センサー要素は、好ましくは、前記角度可変プレートの偏向の記録のために角度可変プレートの下に配置される。これらのセンサー要素は、プレートキャパシターになり、例えば、一つの移動可能部分が、角度可変プレートにより前記基板表面で実行され、固定部分は、前記角度可変プレートの下で、延長されたコンダクターラインによる。測定された運動の記録の間の前記容量の前記変化は、電気的に測定された信号の対応する変化を引き起こす。
【００２４】
もし、センサー要素が、前記コリオリ力により引き起こされる前記放射偏向の記録のために前記ｚマスに配置されたら、これらのセンサー要素の上の前記センサーのｚ軸の回転速度は、とても簡単に、誤ることなく決定される。
【００２５】
好ましくは、前記ｚマスに配置されたセンサー要素は、固定部分が前記基板と強固に接続されているキャパシターの移動可能な測定電極を含む。それゆえに、前記測定電極の一部もまた、センサー要素の運動を遂行し、これを行っている際、前記測定電極の固定された一方から近づいたり、または離れたりする。この空間的な変化は、可変電気的信号に変換され、ｚ軸に関する前記センサーの回転速度の結論を導き出す。
【００２６】
前記センサー要素の可動測定電極は、好ましくは放射方向に移動可能なフレームとして実行される。これは、確実にその動きに信号を送ることができる固定された構造要素を作る。
【００２７】
前記ｚマスは、センサーの中心から遠ければ遠いほど本質的に有利であり、なぜならば、より強いコリオリ力がそれらに作用し、それらが、より大きな振幅の振動が配置されたセンサー要素に届けられるからである。この結果、小さな回転速度はすでに測定されることが可能である。なお、前記センサーは、それにもかかわらず、とてもコンパクトに作られ、小さな表面積を有し、対応する回転速度にはっきりとした信号を届ける。
【００２８】
前記センサー要素がそれに配置された前記ｚマスの接線方向の運動からできる限り離れて分離されることを確保するために、前記ｚマスと前記センサー要素はバネで結合され、接線方向においては固定せず、放射方向において固定されることが好ましい。前記ｚマスの前記放射運動は、このようにして、前記センサー要素に伝えられ、両方の放射振動が一緒に、前記センサー要素と相互接続が可能な前記ｚマスの接線方向の第１運動なしで、第２振動を作る。
【００２９】
前記ｚマスに配置された前記センサー要素は、安定して配置され、特に、意図していた以外の方向の作用の影響に対して抵抗し、（好ましくは）４つのバネの方法により、前記センサー要素が前記基板に固定される。この場合において、前記バネは、前記センサー要素の放射運動を可能にし、他の方向の運動をできるだけ妨げる方法を実行する。
【００３０】
好ましくは、前記角度可変プレートは、前記ｘ−ｙ平面における角度可変プレートの接線回転運動を可能にするバネにより前記基板に配置される。このため、前記バネは好ましくは、締め付けボルトの中心の近くに固定されている。
【００３１】
前記センサーの基本形態の好ましい構造は、本質的に、前記第１運動の回転を支えるための外装のために円状であり、それにより、前記センサーは、とても小さな構造空間にも収まる。
【００３２】
本発明の他の有利な点は、下記の図に示す実施形態を助けとして記載している。
【図面の簡単な説明】
【００３３】
【図１】本発明によるジャイロスコープの平面図、
【図２】図１による前記ジャイロスコープの角度可変プレートの平面図、
【図３】図２による前記角度可変プレートの結合、
【図４】図１に記載の前記ジャイロスコープの前記ｚセンサー装置の平面図、
【図５】図１による前記ジャイロスコープの前記ｚセンサー装置の平面図、
【図６】図１による前記センサーの前記第１運動の略図、
【図７】図１による前記ジャイロスコープのｙ回転速度を決定するための第２運動、
【図８】図１による前記ジャイロスコープのｚ回転速度の決定。
【００３４】
図１の平面図は、本発明のマイクロエレクトロメカニカルジャイロスコープの全ての部品の概観を示す。本図は、回転速度が記録されている間の前記ジャイロスコープの振動タイプと同様のそれぞれの部材のより詳細な説明である。
【００３５】
前記ジャイロスコープは、特に、前記ｘ軸と前記ｙ軸の回転速度を記録するための要素を有し、それは平面に描かれる。さらに、この平面上の前記ジャイロスコープの構造的なグループは、前記ｚ回転速度の検知にも及ぶ。以下に示すように、前記構造部品が配置されている基板が、この平面に平行かつ下にある。
【００３６】
角度可変プレート２は前記ｘとｙの回転速度を記録することを意図している。ｚ回転速度（すなわち、前記ｚ軸における前記ジャイロスコープの回転）を決定するために、ｚマス３は、本質的に、２つの角度可変プレート２の間に位置する。前記ｚマス３は、フレーム４に置かれ、４つのバネ５で固定される。前記フレーム４は、前記基板に固定された２つのフレーム締め付けボルト７の上の２つのフレームバネ６の上に突き出している。
【００３７】
一方、前記角度可変プレート２は、角度可変バネ８と締め付けボルト９を有する基板に固定される。一方、それぞれの角度可変プレート２は、２つの同調バネ１０を有する２つのフレーム４の間に入れられる。
【００３８】
前記角度可変プレート２と前記フレーム４を有する前記ｚマス３は、振動第１運動として、ｚ軸における振動回転接線運動を開始する。この例において、前記駆動は、２つのくし状電極１１と１１’の助けによっておこる。ここで、前記くし状電極１１、１１’は、可動部分、すなわち、角度可変プレート２とフレーム４に固定され、対応する一方の電極１１’は、基板に固定されて、取り付けられる。交流電圧の適用は、反対方向の前記電極１１と１１’の相互の引力を引き出し、これは、前記第１運動と名づけられる前記ｚマス３とフレーム４と同様の角度可変プレート２の接線振動を引き起こす。同調する各要素と、前記角度可変プレート２とフレーム４の振動回転を安定して維持するために、前記角度可変プレート２と前記フレーム４の間に同調バネ１０を設置することが意図される。
【００３９】
もし、前記ジャイロスコープが、今、前記ｘ軸で回転し始めたら、コリオリ力は前記ｘ−ｙ平面から飛び出たｘ軸の上に配置された前記角度可変プレート２に生じる。前記角度可変バネ８と前記同調バネ１０の所定の弾性力により、前記角度可変プレート２は、前記ｘ軸上に横たわり、前記ｙ軸、または、ドローウィング平面の内と外の角度可変バネ８に沿ってドローウィングプレーンの内と外で回転する。このため、前記角度可変バネ８は、一方で前記ｚ軸に沿って角度可変プレート２の前記駆動運動を実行し、もう一方で、実質的に、ｙ軸での角度可変を妨げない。しかしながら、ｘ軸については、ｘ軸上に位置している角度可変プレート２の上で前記角度可変バネ８は大いに固定される。前記ｙ軸における前記ジャイロスコープの回転速度にも同様に適用する。この場合、ｙ軸上に配置された前記角度可変プレート２は、ｘ−ｙ平面の外側に傾いており、前記角度可変プレート２に作用するコリオリ力への対応を示している。これらの角度可変プレート２に対応する角度可変バネ８は、他の角度可変バネに類似して実行され、それらの配置と構成により、前記ｙ軸上の角度可変プレート２が前記ｚ軸に関して回転し、前記ｘ軸に関する角度可変運動を可能にする。一方、それらは、本質的に前記ｙ軸に固定された構成である。前記同調バネ１０は、ｘ−ｙドローウィング平面の外側の角度可変プレート２の角度可変運動も可能にする。しかしながら、それらは、隣接構造部分に関するｚ軸の接線運動を通過する。したがって、それらは、接線方向に作用する力に対する十分な堅さにデザインされてきた。
【００４０】
前記ｚマス３と前記フレーム４とその周辺は、前記ジャイロスコープのｚ回転速度のインジケーターの役割を果たす。前記第１運動は、前記ｚ軸の接線方向における前記角度可変プレート２とともに遂行する。前記駆動は、くし状電極１１、１１’によって引き起こされ、前記くし状電極１１は、前記フレーム４上に配置され、一方、前記くし状電極１１’は、前記基板に安定して固定される。前記ｚ軸に関する前記接線運動は、前記フレームバネ６によって、支えられており、それは前記接線運動を可能にし、しかし、それぞれの堅さによるこの方向のフレーム４の放射運動は、大いに妨げられる。
【００４１】
前記接線第１運動によれば、前記ジャイロスコープが前記ｚ軸に関して回転するとすぐに、コリオリ力が引き起こされる。前記フレーム４は、前記フレームバネ６と同調バネ１０の前記サスペンションにより、放射方向に押し戻されない。一方、前記ｚマス３は、コリオリ力の放射方向に押し戻される可能性があることにより、そのバネ５を有する前記フレーム４から吊り下げられる。前記ｚマス３を前記フレーム４に固定する前記バネ５は、前記マス３が第１接線運動から単独で起こる寄生性の回転トルクに対してより無反応になるようにセットされている。この結果、前記ｚマス３は、本質的に、前記ｚ軸に沿った回転速度により引き起こされるコリオリ力によってのみ反応する。
【００４２】
障害なしで前記ｚ回転速度を決定するために、前記ｚマス３は、センサー要素１２に接続されている。このセンサー要素１２は、センサーバネ１３で締め付けボルト９とセンサーバネ１３に固定されている。なお、前記センサー要素１２は、結合バネ１５を用いて前記ｚマス３に接続されている。前記結合バネ１５は、接線方向には硬くなく、放射方向には硬くなるように実行される。この結果、接線方向の前記ｚマスの駆動運動と前記センサーと放射方向の第２運動の間の分離が生じる。前記ｚマスが、前記センサー要素１２における重要な効果を有するこれなしで、接線方向において駆動されている間、コリオリ力が前記ｚマス３を外側や内側に動かしているとき、そのようにしているとき、前記結合バネ１５の対応するバネの硬さによって、それは、前記センサー要素１２を運ぶ。それらのバネの硬さに対して、前記センサーバネ１３は、同様に、放射方向における前記センサー要素１２をほとんど邪魔しない方法で、実行する、言い換えると、この方向において、それらは比較的低い（そして、正確に調整可能である）バネ硬さと同時に、接線方向のセンサー要素１２の前記運動を大いに邪魔する。前記センサー要素１２が、放射方向の対応振動運動を通してのみ、放射方向において起こるコリオリ力を示すことができるように、これは、前記第２運動から前記第１運動を分離する。前記センサー要素１２の前記メッシュ構造はこのようにして、反対の固定棒がくぼみの間の基板に固定され、ひきつけられていないキャパシターの可変電極を実行する。この可変容量は、前記記録された運動の電気信号への変換の目的を果たす。
【００４３】
よりよい理解のため、以下の図は、その他の構造要素から分離した前記ジャイロスコープのそれぞれの要素を示す。
【００４４】
図２は、角度可変プレート２を示す。全ての角度可変プレート２は、２つの角度可変バネ８を有する２つの締め付けボルト９で固定されている。前記角度可変バネ８は、一方で、前記角度可変プレート２の接線方向の振動第１運動を可能にし、一方で、それらは、前記角度可変プレート２を前記角度可変バネ８の周辺におけるｘ−ｙ平面の外での角度の変更も可能にする。放射方向において、一方、前記角度可変バネ８は、前記角度可変プレート２が、前記ジャイロスコープのｚ回転を示唆する放射方向に作用するコリオリ力により顕著に偏向されないように、前記角度可変バネ８は、放射方向において堅く実行されている。それゆえに、前記角度可変プレート２の所定の偏向は、前記ｘまたはｙ軸に関する回転速度によって生じる。
【００４５】
図３によれば、図２の前記角度可変プレート２は、前記フレーム４と同調バネ１０に接続されている。前記ユニットは、ここで、第１運動としての、ｚ軸に関する同調接線運動を開始する。前記接続バネ１０は、前記角度可変プレート２と前記フレーム４の接線運動と同調する。前記ジャイロスコープの製造における許容によって生じるかもしれない部材間の速度の相違は、同調バネ１０により相殺される。前記各構造部分はこのようにして、共通の共振周波数により振動し、それゆえに、同じ方法で回転速度を示す。
【００４６】
図４は、ｚ回転速度を記録するための重要な構造部分を示す。前記第１運動において、前記ｚマス３は、前記フレーム４（図示せず）とともに前記ｚ軸について振動接線運動を開始する。前記ｚ軸に関する前記ジャイロスコープの回転に応じて、前記ｚマス３は、放射振動に促進される。前記ｚマス３は、前記接続バネ１５を通じて、センサー要素１２に接続される。センサーバネ１３は、前記締め付けボルト９と１４によってセンサー要素１２に固定される。前記センサーバネ１３は、前記センサー要素１２の放射運動を可能にし、前記ｚ軸に関する回転速度の記録のコースの間、前記ｚマス３の前記放射振動により結合される。前記ｚマス３から前記センサー要素１２への放射方向の移動は前記結合バネ１５により可能になり、前記結合バネ１５は、一方は、前記ｚマス３から前記センサー要素１２への前記接線第１運動にとって十分に硬くなく、もう一方は、前記ｚマス３から前記センサー要素１２への放射運動の第２運動をするのに十分な硬さである。４つの対応する構造部分は、他に対して９０度の位置にある前記ジャイロスコープに配置される。ここで、それらは中央線におけるｘとｙ軸の間に配置される。
【００４７】
ｚ回転速度を決定するための構造要素の詳細図を、もう一度、図５に示す。前記ｚマス３は、バネ５により前記フレーム４に固定される。前記フレーム４は、接線方向に硬くない前記フレームバネ６を用いて前記フレーム締め付けボルト７に固定される。前記締め付けボルト９が固定されることから離れて、前記センサー要素１２もまた、前記締め付けボルト１４に配置されている。バネ１３の固定ポイントとしての機能の他に、これらの締め付けボルト１４は、前記フレーム４と前記角度可変プレート２の前記第１運動のストッパーとしての役割も果たす。前記ｚマス３の放射運動は、前記結合バネ１５を用いて、前記センサー要素１２に移動し、それは、コリオリ力がｚ回転速度を示してすぐ、前記ｚマス３とともに、放射振動運動を開始する。
【００４８】
図６は、前記ジャイロスコープの第１運動の概略図を示す。前記角度可変プレート２と前記フレーム４は、前記ｚマス３の前記ｚ軸に関する振動回転を開始することが明らかになる。この場合において、前記締め付けボルト１４は、前記角度可変プレート２と前記フレーム４のストッパーとしての役割を果たす。この第１運動において、前記センサー要素１２は、動くことなしに、前記基板の上で角度可変に配置されるストッパーとしての役割を果たす。図は、下記の図における概略図であり、前記詳細は少しだけ不正確である。
【００４９】
図７は、前記ｘ軸に配置された前記角度可変プレート２の前記偏向を示し、この偏向は、ジャイロスコープのｘ回転速度を示す。前記ｘ軸における前記角度可変プレート２は、前記締め付けボルト９により固定されている前記角度可変バネ８のまわりにおけるｘ−ｙ平面の外側へ傾いている。一方、ｙ軸に配置されている前記角度可変要素２は、この平面に残っている。同調バネ１０のバネの硬さによって、前記フレーム４と前記ｚマス３もまたこの実施形態において傾いており、前記結合バネ１５のやわらかさによって、これらの偏向は、前記センサー要素１２をバラバラにしない。（可動の半分は、角度可変プレート２によって形成されている）プレートキャパシターと基板上に割り当てられた角度可変プレート２の下に配置されたそれらの固定半分のおかげで、それぞれの傾斜運動は電気信号に変換され得る。結合バネ１５の柔軟性のおかげで、これらの運動は前記センサー要素１２に効果をもたらさない。同様に、ｙ回転速度は記録される。この場合において、（ｙ軸に沿って配置されている）前記角度可変プレート２はｘ−ｙ平面の外側に傾く。もし、適用可能ならば、この結果として、前記ｚマス３と（同調バネ１０を経由して角度可変プレート２に結合されている）前記フレーム４もまた、少なくとも部分的にｘ−ｙ平面の外側に動く。
【００５０】
図８は、前記ジャイロスコープのｚ回転速度の記録のされ方の概略図を示す。ここで、前記コリオリ力は、前記ｚマス３を放射方向に振動運動させる。前記ｚマス３のこの運動において、前記結合バネ１５は、前記センサー要素１２を放射的に周期的な振動傾向に動かす。対応するバネは、前記センサー要素１２がわずかに放射方向に動かす事が可能であり、かつ、ｘ−ｙ平面の外側方向または前記ｚ軸の接線方向に硬直して留まるように、設計される。前記センサー要素１２の前記放射運動は、前記基板上の安定して固定された対応する電極を有するそのメッシュ構造によって決定される。前記ｚ回転速度の記録のため、前記角度可変プレート２と前記フレーム４は、大いに硬直したままである。しかしながら、必要であれば、それぞれのバネ定数によって、前記フレーム４は、放射方向にわずかに偏向していても良い。
【００５１】
この発明は、前記の実施形態に限定されない。特に、個々の構造部分やそれらの相互の配置の設計のような修正は、適用可能なパテントクレームのフレームワークの範囲であれば、ここに示すのと異なる方法が可能である。
【符号の説明】
【００５２】
１  基板
２  角度可変プレート
３  ｚマス
４  フレーム
５  バネ
６  フレームバネ
７  フレーム締め付けボルト
８  角度可変バネ
９  締め付けボルト
１０  同調バネ
１１  くし状電極
１１’  対電極
１２  センサー素子
１３  センサーバネ
１４  締め付けボルト
１５  結合バネ
【図１】
0005743338.tif 000002
【図２】
0005743338.tif 000003
【図３】
0005743338.tif 000004
【図４】
0005743338.tif 000005
【図５】
0005743338.tif 000006
【図６】
0005743338.tif 000007
【図７】
0005743338.tif 000008
【図８】
0005743338.tif 000009